(57)【特許請求の範囲】
【請求項１】
下記式（１）で表され、重量平均分子量が６００以上１３００以下である非イオン性界面活性剤を含有する、木材パルプを洗浄するためのパルプ洗浄剤。
Ｒ1Ｏ−［（ＥＯ）n・（ＰＯ）m］Ｈ  ・・・（１）
（式（１）において、Ｒ1は、炭素数１０〜１４のアルキル基又はアルキニル基であり、ＥＯ及びＰＯはそれぞれ、エチレンオキサイド基及びプロピレンオキサイド基であり、ｎ及びｍは平均付加モル数であり、ｎ及びｍはそれぞれ０ではない。）
【請求項２】
下記式（１）で表される非イオン性界面活性剤を含有する、木材パルプを洗浄するためのパルプ洗浄剤。
Ｒ1Ｏ−［（ＥＯ）n・（ＰＯ）m］Ｈ  ・・・（１）
（式（１）において、Ｒ1は、炭素数１０〜１４のアルキル基又はアルキニル基であり、ＥＯ及びＰＯはそれぞれ、エチレンオキサイド基及びプロピレンオキサイド基であり、ｎ及びｍは平均付加モル数であり、ｎ及びｍはそれぞれ０ではなく、ｎ＋ｍが８〜２２である。）
【請求項３】
パルプ洗浄工程において請求項１又は２に記載のパルプ洗浄剤を添加することを含む、木材パルプの製造方法。
【請求項４】
前記パルプ洗浄工程は、パルプ漂白よりも前のパルプ洗浄の工程である、請求項３に記載の木材パルプの製造方法。
【発明の詳細な説明】
【技術分野】
【０００１】
本開示は、パルプの洗浄に関し、一又は複数の実施形態において、パルプ洗浄剤及びパルプの製造方法に関する。
【背景技術】
【０００２】
クラフトパルプの製造工程には、一般に、木材チップを苛性ソーダ及び硫化ソーダの混合液で蒸解する蒸解工程、パルプとリグニンを含む黒液を分離する未晒パルプ洗浄工程、酸素とアルカリによってパルプからリグニンを除去する酸素脱リグニン工程、及び漂白工程が含まれる。未晒パルプの洗浄が不十分であると、酸素脱リグニン工程の反応効率低下や漂白薬剤の使用量増加、また、多段漂白工程、精選工程及び抄紙工程での発泡トラブルやピッチトラブルを生じるため、未晒パルプ洗浄工程後や酸素脱リグニン工程後のパルプ洗浄、つまり、漂白工程前のパルプ洗浄が非常に重要となる。【０００３】
パルプ洗浄方法として、パルプ製造方法の各種洗浄工程にポリオキシエチレンアルキルフェニルエーテル系界面活性剤を添加するパルプ洗浄方法（特許文献１）、及び蒸解工程後の洗浄工程に界面活性剤を添加するパルプ洗浄方法（特許文献２及び３）などが提案されている。
【先行技術文献】
【特許文献】
【０００４】
【特許文献１】特開平５−３０２２８４号公報
【特許文献２】特開２００５−３３６６２０号公報
【特許文献３】ＷＯ２００９／０９３６１５
【発明の概要】
【発明が解決しようとする課題】
【０００５】
パルプは吸水力に優れており、蒸解工程から送られてくるパルプには約８０数質量％の水分が含まれる。パルプ洗浄は、一般的に、パルプに希釈液を添加して絶乾パルプ濃度を約１質量％のスラリーに希釈し、次いで脱水することで行われる。また、脱水に引き続き、洗浄液でパルプ中の水分を置換する方法を用いることも洗浄機の種類によって存在する。パルプの脱水性が向上すれば、より高濃度にパルプを濃縮することができ、洗浄の効率が向上すると考えられる。
また、パルプ洗浄後のパルプ中に含まれる汚れの除去効率が向上できれば、その後の酸素脱リグニン工程や漂白工程の負荷を小さくすることができる。そのため本開示においては、汚れ除去効率向上の指標としてパルプの白色度を用いた。
本開示では、「脱水性」と「洗浄性」の双方を向上可能なパルプ洗浄剤を提供する。
【課題を解決するための手段】
【０００６】
本開示は、一態様において、下記式（１）で表され、重量平均分子量が６００以上１３００以下である非イオン性界面活性剤を含有するパルプ洗浄剤に関する。
Ｒ１Ｏ−［（ＥＯ）ｎ・（ＰＯ）ｍ］Ｈ  ・・・（１）
（式（１）において、Ｒ１は、炭素数１０〜１４のアルキル基又はアルキニル基であり、ＥＯ及びＰＯはそれぞれ、エチレンオキサイド基及びプロピレンオキサイド基であり、ｎ及びｍは平均付加モル数であり、ｎ及びｍはそれぞれ０ではない。）【０００７】
本開示は、その他の一態様において、下記式（１）で表される非イオン性界面活性剤を含有するパルプ洗浄剤に関する。
Ｒ１Ｏ−［（ＥＯ）ｎ・（ＰＯ）ｍ］Ｈ  ・・・（１）
（式（１）において、Ｒ１は、炭素数１０〜１４のアルキル基又はアルキニル基であり、ＥＯ及びＰＯはそれぞれ、エチレンオキサイド基及びプロピレンオキサイド基であり、ｎ及びｍは平均付加モル数であり、ｎ及びｍはそれぞれ０ではなく、ｎ＋ｍが８〜２２である。）【０００８】
本開示は、その他の一態様において、本開示に係るパルプ洗浄剤を添加することを含むパルプの製造方法に関する。
【発明の効果】
【０００９】
本発明によれば、一又は複数の実施形態において、「脱水性」と「洗浄性」の双方を向上可能なパルプ洗浄剤を提供できる。
【発明を実施するための形態】
【００１０】
本開示は、界面活性剤の中でも、所定の要件を満たす非イオン性界面活性剤が、パルプ洗浄の脱水性及び洗浄性を向上しうる、という知見に基づく。本開示は、所定の要件を満たす非イオン性界面活性剤が、パルプ洗浄後のパルプの絶乾パルプ濃度を向上でき、かつ、パルプ洗浄後のパルプの白色性を向上しうる、という知見に基づく。
本開示に係るパルプ洗浄剤は、一態様において、「脱水性」と「洗浄性」の双方を向上できるから、一又は複数の実施形態において、洗浄液使用量の削減、漂白薬剤使用量の削減、酸素脱リグニンの反応効率改善、消泡剤使用量の削減、ピッチ削減による抄紙工程での問題発生予防、そして回収ボイラーに送られる希黒液の固形分濃度の上昇などが期待できる。
【００１１】
［非イオン性界面活性剤（Ａ）：第１の実施形態］
本開示に係るパルプ洗浄剤に含まれる非イオン性界面活性剤の第１の実施形態は、下記式（１）で表され、重量平均分子量が６００以上１３００以下である非イオン性界面活性剤（Ａ）である。
Ｒ１Ｏ−［（ＥＯ）ｎ・（ＰＯ）ｍ］Ｈ  ・・・（１）
（式（１）において、Ｒ１は、炭素数１０〜１４のアルキル基又はアルキニル基であり、ＥＯ及びＰＯはそれぞれ、エチレンオキサイド基及びプロピレンオキサイド基であり、ｎ及びｍは平均付加モル数であり、ｎ及びｍはそれぞれ０ではない。）
【００１２】
非イオン性界面活性剤（Ａ）は、上記式（１）で表されるポリオキシエチレンポリオキシプロプレンアルキルエーテルである。
非イオン性界面活性剤（Ａ）の重量平均分子量は、脱水性及び洗浄性の向上の観点から、６００以上１３００以下であって、６００以上１２００以下が好ましく、６００以上１１００以下がより好ましく、６００以上１０００以下がさらに好ましく、６５０以上９５０以下がさらにより好ましく、６５０以上９００以下がさらにより好ましく、６５０以上８００以下がさらにより好ましく、６５０以上７５０以下がさらにより好ましい。
非イオン性界面活性剤（Ａ）の重量平均分子量は、ゲル浸透クロマトグラフィー（ＧＰＣ）で測定できる。
【００１３】
非イオン性界面活性剤（Ａ）のアルキルエーテル部分の炭素数、すなわち、式（１）におけるＲ１の炭素数は、脱水性及び洗浄性の向上の観点から、１０以上１４以下であって、好ましくは１０以上１３以下である。
“Ｒ１Ｏ−”の部分を提供するアルコール基材としては、脱水性及び洗浄性の向上の観点から、デシルアルコール、イソデシルアルコール、ラウリルアルコール、トリデシルアルコール、イソトリデシルアルコール、ミリスチルアルコールなどが挙げられ、イソデシルアルコール、及びトリデシルアルコールが好ましい。
【００１４】
非イオン性界面活性剤（Ａ）のオキシエチレン（ＥＯ）部分の平均付加モル数ｎ及びオキシプロピレン（ＰＯ）部分の平均付加モル数ｍはゼロではない。ｎとｍの合計（ｎ＋ｍ）は、脱水性及び洗浄性の向上の観点から、８以上２２以下が好ましく、８以上２１以下がより好ましく、８以上２０以下がさらに好ましく、８以上１７以下がさらにより好ましく、９以上１５以下がより好ましい。
式（１）の［（ＥＯ）ｎ・（ＰＯ）ｍ］の部分におけるＥＯとＰＯの重合順序は特に制限されない。ＥＯ及びＰＯの重合形態は、ランダムであってもよいし、ブロックであってもよい。
非イオン性界面活性剤（Ａ）のｎ及びｍは、ＮＭＲ及び／又は質量分析等の方法によって測定できる。
【００１５】
非イオン性界面活性剤（Ａ）のＥＯ／ＰＯ（ＥＯとＰＯの比）は、脱水性及び洗浄性の向上の観点から、３５／７５以上が好ましく、４０／６０以上がより好ましく、５０／５０以上がさらにより好ましい。ＥＯ／ＰＯ（ＥＯとＰＯの比）は、同様の観点から、９５／５以下が好ましく、９０／１０以下がより好ましく、８５／１５以下がさらに好ましい。
【００１６】
［非イオン性界面活性剤（Ｂ）：第２の実施形態］
本開示に係るパルプ洗浄剤に含まれる非イオン性界面活性剤の第２の実施形態は、下記式（１）で表される非イオン性界面活性剤（Ｂ）である。
Ｒ１Ｏ−［（ＥＯ）ｎ・（ＰＯ）ｍ］Ｈ  ・・・（１）
（式（１）において、Ｒ１は、炭素数１０〜１４のアルキル基又はアルキニル基であり、ＥＯ及びＰＯはそれぞれ、エチレンオキサイド基及びプロピレンオキサイド基であり、ｎ及びｍは平均付加モル数であり、ｎ及びｍはそれぞれ０ではなく、ｎ＋ｍが８〜２２である。）
【００１７】
非イオン性界面活性剤（Ｂ）は、上記式（１）で表されるポリオキシエチレンポリオキシプロプレンアルキルエーテルである。
非イオン性界面活性剤（Ｂ）のオキシエチレン（ＥＯ）部分の平均付加モル数ｎ及びオキシプロピレン（ＰＯ）部分の平均付加モル数ｍはゼロではない。ｎとｍの合計（ｎ＋ｍ）は、脱水性及び洗浄性の向上の観点から、８以上２２以下であって、８以上２１以下が好ましく、８以上２０以下がさらに好ましく、８以上１７以下がさらにより好ましく、９以上１５以下がより好ましい。
式（１）の［（ＥＯ）ｎ・（ＰＯ）ｍ］の部分におけるＥＯとＰＯの重合順序は特に制限されない。ＥＯ及びＰＯの重合形態は、ランダムであってもよいし、ブロックであってもよい。
非イオン性界面活性剤（Ｂ）のｎ及びｍは、非イオン性界面活性剤（Ａ）のｎ及びｍの測定方法と同様に測定できる。
【００１８】
非イオン性界面活性剤（Ｂ）のＥＯ／ＰＯ（ＥＯとＰＯの比）は、脱水性及び洗浄性の向上の観点から、３５／７５以上が好ましく、４０／６０以上がより好ましく、５０／５０以上がさらにより好ましい。ＥＯ／ＰＯ（ＥＯとＰＯの比）は、同様の観点から、９５／５以下が好ましく、９０／１０以下がより好ましく、８５／１５以下がさらに好ましい。
【００１９】
非イオン性界面活性剤（Ｂ）の重量平均分子量は、脱水性及び洗浄性の向上の観点から、６００以上１３００以下が好ましく、６００以上１２００以下がより好ましく、６００以上１１００以下がさらに好ましく、６００以上１０００以下がさらにより好ましく、６５０以上９５０以下がさらにより好ましく、６５０以上９００以下がさらにより好ましく、６５０以上８００以下がさらにより好ましく、６５０以上７５０以下がさらにより好ましい。
非イオン性界面活性剤（Ｂ）の重量平均分子量は、非イオン性界面活性剤（Ａ）の重量平均分子量の測定方法と同様に測定できる。
【００２０】
非イオン性界面活性剤（Ｂ）のアルキルエーテル部分の炭素数、すなわち、式（１）におけるＲ１の炭素数は、脱水性及び洗浄性の向上の観点から、１０以上１４以下であって、好ましくは１０以上１３以下である。
“Ｒ１Ｏ−”の部分を提供するアルコール基材としては、脱水性及び洗浄性の向上の観点から、デシルアルコール、イソデシルアルコール、ラウリルアルコール、トリデシルアルコール、イソトリデシルアルコール、ミリスチルアルコールなどが挙げられ、イソデシルアルコール、及びトリデシルアルコールが好ましい。
【００２１】
［パルプ洗浄剤］
本開示に係るパルプ洗浄剤は、上述した非イオン性界面活性剤（Ａ）又は（Ｂ）を含む。非イオン性界面活性剤は、１種類でもよく、複数種類であってもよい。
本開示に係るパルプ洗浄剤は、非イオン性界面活性剤からなるものであってもよく、水や他の成分を含んでいてもよい。
他の成分としては、脱水性及び洗浄性を実質的に損なうものでないものが挙げられる。他の成分としては、一又は複数の実施形態において、消泡剤、ピッチコントロール剤、スケールコントロール剤などが挙げられる。
パルプ洗浄剤の剤型としては、特に制限されない。使用時には液体であることが好ましい。
【００２２】
本開示に係るパルプ洗浄剤は、パルプ製造工程におけるパルプ洗浄の洗浄剤として使用できる。本開示におけるパルプ製造工程におけるパルプ洗浄としては、一又は複数の実施形態において、漂白工程で漂白が行われる段階よりも前で行われるパルプの洗浄、例えば、未晒パルプの洗浄が挙げられる。本開示に係るパルプ洗浄剤の添加箇所としては、一又は複数の実施形態において、パルプ製造工程におけるパルプ洗浄を行う箇所であれば特に制限されるものではなく、例えば、未晒パルプの洗浄を行う箇所等が挙げられる。未晒パルプを洗浄する箇所としては、一又は複数の実施形態において、蒸解工程後かつ酸素脱リグニン反応工程前に行われる洗浄、並びに酸素脱リグニン反応工程及び／又は該反応工程後で行われる洗浄等が挙げられる。
したがって、本開示は、その他の態様において、本開示に係るパルプ洗浄剤を用いるパルプの洗浄方法に関し、さらにその他の態様において、本開示に係るパルプ洗浄剤を用いるパルプの洗浄工程を含むパルプの製造方法に関する。
洗浄対象、製造対象であるパルプの種類は特に制限されず、製造プロセスにパルプを洗浄する工程を含むパルプが含まれうる。原料パルプは、一又は複数の実施形態において、木材パルプ（Ｎ材（針葉樹）又はＬ材（広葉樹））であってもよく、非木材パルプであってもよく、古紙パルプであってもよい。
また、木材パルプは、一又は複数の実施形態において、クラフトパルプ、サルファイドパルプ、アルカリパルプ等の化学パルプであってもよく、機械パルプであってもよい。
【００２３】
［パルプ洗浄方法］
本開示に係るパルプ洗浄方法は、一又は複数の実施形態において、パルプ洗浄工程で使用する希釈液や洗浄液に本開示に係るパルプ洗浄剤を添加することを含む。本開示に係るパルプ洗浄方法は、その他の一又は複数の実施形態において、パルプ洗浄工程において希釈液で希釈されたパルプや洗浄液が加えられたパルプへ本開示に係るパルプ洗浄剤を添加することを含む。本開示に係るパルプ洗浄方法は、その他の一又は複数の実施形態において、パルプ洗浄機に本開示に係るパルプ洗浄剤を添加することを含む。
【００２４】
パルプ洗浄工程としては、一又は複数の実施形態において、漂白工程で漂白が行われる段階より前で行われる洗浄が挙げられる。
洗浄機としては、特に制限はなく、目的に応じて適宜選択することができ、例えば、ドラム型フィルター、ディフューザー、プレッシャー型ディフューザー、加圧型ドラムフィルター、プレス型ウォッシャー、ツインロール型プレスなどが挙げられる。なお、パルプ洗浄工程としては、これらの洗浄機を複数組み合わせた多段洗浄工程が好ましい。
洗浄機における、本開示に係るパルプ洗浄剤の添加位置としては、パルプと均一に混合できる場所であれば特に制限はなく、洗浄機にパルプを流送するポンプのサクション口、パルプ濃度を調整するための希釈液の注入口、希釈液の送液ポンプのサクション口や洗浄液の送液ポンプのサクション口などが挙げられる。
【００２５】
本開示に係るパルプ洗浄方法における本開示に係るパルプ洗浄剤の使用量としては、一又は複数の実施形態において、絶乾パルプの質量に対して０．００３質量％〜１０質量％が好ましく、０．００５質量％〜１質量％がより好ましく、０．０１〜０．１質量％がさらに好ましい。
本開示に係るパルプ洗浄方法における洗浄温度としては、通常の洗浄温度や洗浄機の温度であってよく、一又は複数の実施形態において、６５℃〜９０℃が挙げられる。
【００２６】
［パルプ製造方法］
本開示に係るパルプ製造方法は、一又は複数の実施形態において、本開示に係るパルプ洗浄方法を行う工程を含むパルプの製造方法である。
【００２７】
本開示に係るパルプ製造方法の一又は複数の実施形態として、蒸解工程と、蒸解工程後に行われる未晒パルプ洗浄工程（未晒パルプ洗浄工程１）と、酸素脱リグニン反応工程と、酸素脱リグニン反応工程後に行われる未晒パルプ洗浄工程（未晒パルプ洗浄工程２）とを含む製造方法が挙げられる。本開示に係るパルプ製造方法の一又は複数の実施形態において、未晒パルプの洗浄に本開示に係るパルプ洗浄剤が使用されうる。
【００２８】
蒸解工程
前記蒸解工程は、パルプ原料を蒸解する工程である。前記蒸解工程において、例えば、パルプ原料（木材チップ）が水酸化ナトリウム及び硫化ナトリウムの混液中で加圧蒸煮され、パルプ原料中のリグニン成分、脂肪酸ナトリウム塩、ロジン酸ナトリウム塩等の非繊維部分が溶解される。蒸解としては、クラフト蒸解法及び亜硫酸蒸解法が挙げられる。
【００２９】
未晒パルプ洗浄工程１
蒸解後のパルプ原料は、未晒パルプ洗浄工程１において、パルプスラリーと黒液とに分離され、洗浄される。未晒パルプ洗浄工程１では、一又は複数の実施形態において、パルプスラリー中の異物（例えば、溶解有機分等）を除去することを含みうる。
【００３０】
酸素脱リグニン反応工程
酸素脱リグニン反応工程は、前記蒸解されたパルプ原料に含まれるリグニン成分を酸素を用いて分解する工程、即ち、前記蒸解工程で除去しきれなかったリグニン成分を分解する工程であり、蒸解処理後の初段に、アルカリ性・高温加圧下で、酸素を作用させる酸素脱リグニン法が開発され、現在広く普及するに至っている。蒸解工程後のパルプ中に残存するリグニンの４０％〜５０％が、酸素脱リグニン反応を実施することにより分解されるので、後段の塩素系漂白薬品の使用量を下げることが可能になるのみならず、酸素脱リグニン反応工程で発生した排水を蒸解工程に循環することができるので、薬品とエネルギーを回収することができ、また、排水の負荷を軽減することができる。
【００３１】
未晒パルプ洗浄工程２
未晒パルプ洗浄工程２（酸素脱リグニン反応工程後の洗浄工程）は、一又は複数の実施形態において、酸素脱リグニン反応によって生成されたリグニン分解物及び有色成分等を洗浄によって除去する工程である。
酸素脱リグニン反応工程後の洗浄工程は、漂白工程の前に行われうる。
【００３２】
前記パルプの洗浄は、例えば、蒸解工程から送られてくるパルプ（パルプ濃度１０質量％前後）に希釈液を添加して、パルプ濃度を約１質量％のスラリーとすることなどにより行われる。パルプの洗浄における本開示のパルプ洗浄剤の使用量は、先述の通りである。
【００３３】
パルプの洗浄は、向流多段洗浄方法により実施されることが一般的であるが、本開示に係るパルプ洗浄剤の使用、及び、本開示に係るパルプ洗浄方法は、この方法に限定されなくてもよい。
向流多段洗浄方法とは、一般的には、洗浄機を直列に２〜５台連結して、洗浄する方法である。最終段の洗浄機における洗浄液にのみ清水（ボイラーより回収した温水＝洗浄温水）が使用されることがある。最終段の洗浄機で回収された洗浄液を前段の洗浄機で洗浄液として使用し、更に前段の洗浄機で使用された洗浄液を回収し、もう一段前の洗浄機の洗浄液として使用する。また、回収された洗浄液は前段の希釈液としても使用される。このような向流洗浄方法を用いると、蒸解工程及び酸素脱リグニン反応工程で使用した薬品だけでなく、リグニン分解物についても高濃度で回収することができる。
前記洗浄機に導入されるパルプスラリーの温度、即ち、洗浄温度は通常６５℃〜９０℃であり、洗浄機のバット中のパルプスラリーの温度である。
【００３４】
その他の工程
前記その他の工程としては、特に制限はなく、目的に応じて適宜選択することができ、例えば、漂白工程などが挙げられる。
【００３５】
漂白工程
前記漂白工程は、洗浄工程後のパルプを漂白する工程であり、塩素、次亜塩素酸塩、二酸化塩素、オゾン、過酸化水素などの酸化剤が用いられる。
【００３６】
本開示はさらに以下の一又は複数の実施形態に関する。
〔１〕  下記式（１）で表され、重量平均分子量が６００以上１３００以下である非イオン性界面活性剤を含有する、パルプ洗浄剤。
Ｒ１Ｏ−［（ＥＯ）ｎ・（ＰＯ）ｍ］Ｈ  ・・・（１）
（式（１）において、Ｒ１は、炭素数１０〜１４のアルキル基又はアルキニル基であり、ＥＯ及びＰＯはそれぞれ、エチレンオキサイド基及びプロピレンオキサイド基であり、ｎ及びｍは平均付加モル数であり、ｎ及びｍはそれぞれ０ではない。）
〔２〕  下記式（１）で表される非イオン性界面活性剤を含有する、パルプ洗浄剤。
Ｒ１Ｏ−［（ＥＯ）ｎ・（ＰＯ）ｍ］Ｈ  ・・・（１）
（式（１）において、Ｒ１は、炭素数１０〜１４のアルキル基又はアルキニル基であり、ＥＯ及びＰＯはそれぞれ、エチレンオキサイド基及びプロピレンオキサイド基であり、ｎ及びｍは平均付加モル数であり、ｎ及びｍはそれぞれ０ではなく、ｎ＋ｍが８〜２２である。）
〔３〕  パルプ洗浄工程において〔１〕又は〔２〕に記載のパルプ洗浄剤を添加することを含む、パルプの製造方法。
〔４〕  前記パルプ洗浄工程は、パルプ漂白よりも前のパルプ洗浄の工程である、〔３〕に記載のパルプの製造方法。
【００３７】
以下、実施例を用いて本開示をさらに説明する。ただし、本開示は以下の実施例に限定して解釈されない。
【実施例】
【００３８】
（実施例１）
実際の製紙工場の未晒パルプ（広葉樹のクラフトパルプ）と表１に記載の薬剤とを用い、下記の条件でパルプを洗浄し、洗浄後の絶乾パルプ濃度と白色度を測定した。
その結果を表１に示す。なお、表１におけるパルプ濃度（絶乾パルプ濃度）及び白色度は、薬剤を加えなかった場合（ブランク）の結果を引いた値（ブランクとの差）として示した。【００３９】
パルプ洗浄
パルプを離解機で２５００ｒｐｍ、５分間解繊して１．５％（絶乾パルプ重量）のパルプスラリーを作製し、７０℃で２時間以上加温した。次いで、６０℃加温下で絶乾パルプ重量に対して表１の薬剤（界面活性剤）を５００ｐｐｍ添加し、７００ｒｐｍで１分間撹拌した。撹拌終了後、パルプ全量を吸引ろ過し、得られた各パルプについて、絶乾パルプ濃度と作成したパルプシートの白色度を測定した。【００４０】
絶乾パルプ濃度の測定方法：
パルプを１０５℃で一晩乾燥させ、乾燥固形分濃度として測定した。【００４１】
白色度の測定方法:
ＪＩＳ  Ｐ８２２２の方法に準じてパルプシートを作成し、Ｓｐｅｃｔｒｏ  ｐｈｏｔｏｍｅｔｅｒ（日本電色工業株式会社製、ＰＦ７０００）を用いて測定した。【００４２】
［重量平均分子量］
薬剤（界面活性剤）の重量平均分子量は、ゲル浸透クロマトグラフィー（ＧＰＣ）で測定された値である。【００４３】
［薬剤］
実施例１−１：ポリオキシエチレンポリオキシプロピレンモノイソデシルエーテル（ＥＯ（９．３）、ＰＯ（２．３）、ＥＯ／ＰＯ＝８０／２０、重量平均分子量７００）
実施例１−２：ポリオキシエチレンポリオキシプロピレンモノイソデシルエーテル（ＥＯ（５．７）、ＰＯ（８．５）、ＥＯ／ＰＯ＝４０／６０、重量平均分子量９００）
実施例１−３：ポリオキシエチレンポリオキシプロピレンモノイソデシルエーテル（ＥＯ（１２．６）、ＰＯ（８．４）、ＥＯ／ＰＯ＝６０／４０、重量平均分子量１２００）
実施例１−４：ポリオキシエチレンポリオキシプロピレンモノトリデシルエーテル（ＥＯ（７．１）、ＰＯ（２．４）、ＥＯ／ＰＯ＝７５／２５、重量平均分子量６５０）
比較例１：ポリオキシエチレンモノイソデシルエーテル（ＥＯ（７）、重量平均分子量４６６）
比較例２：ポリオキシエチレンポリオキシプロピレンモノトリデシルエーテル（ＥＯ（５．１）、ＰＯ（２．２）、ＥＯ／ＰＯ＝７０／３０、重量平均分子量５５０）
比較例３：プルロニック型界面活性剤（ＥＯ（２５．５）、ＰＯ（２９）、ＥＯ／ＰＯ＝４０／６０、重量平均分子量２８００）
比較例４：ポリオキシエチレンモノセチルエーテル（ＥＯ（２）、重量平均分子量３３０）
比較例５：ポリオキシエチレンラウリルアミン（ＥＯ（１０）、重量平均分子量６２５）
比較例６：ポリオキシエチレンポリオキシプロピレンモノステアリルエーテル（ＥＯ（７．２）、ＰＯ（７．２）、ＥＯ／ＰＯ＝５０／５０、重量平均分子量１０００）
比較例７：ポリオキシエチレンポリオキシプロピレンモノ２−エチルヘキシルエーテル（ＥＯ（７．７）、ＰＯ（１４．３）、ＥＯ／ＰＯ＝３５／６５、重量平均分子量１３００）【００４４】
【表１】
0006713105.tif 000002
【００４５】
表１のとおり、実施例１−１〜１−４においては、比較例１〜７と比較して、パルプ濃度と白色度がともに向上していた。【００４６】
（実施例２）
実施例１の未晒パルプ（広葉樹のクラフトパルプ）に代えて未晒パルプ（針葉樹のクラフトパルプ）を使用し、かつ表２に記載の薬剤を使用した以外は、実施例１と同様に、洗浄後の絶乾パルプ濃度と白色度を測定した。その結果を表２に示す。【００４７】
［薬剤］
実施例２−１：ポリオキシエチレンポリオキシプロピレンモノイソデシルエーテル（ＥＯ（９．３）、ＰＯ（２．３）、ＥＯ／ＰＯ＝８０／２０、重量平均分子量７００）
実施例２−２：ポリオキシエチレンポリオキシプロピレンモノイソデシルエーテル（ＥＯ（５．７）、ＰＯ（８．５）、ＥＯ／ＰＯ＝４０／６０、重量平均分子量９００）
実施例２−３：ポリオキシエチレンポリオキシプロピレンモノトリデシルエーテル（ＥＯ（７．１）、ＰＯ（２．４）、ＥＯ／ＰＯ＝７５／２５、重量平均分子量６５０）
比較例８：ポリオキシエチレンモノイソデシルエーテル（ＥＯ（７）、重量平均分子量４６６）
比較例９：ポリオキシエチレンポリオキシプロピレンモノトリデシルエーテル（ＥＯ（５．１）、ＰＯ（２．２）、ＥＯ／ＰＯ＝７０／３０、重量平均分子量５５０）
比較例１０：プルロニック型界面活性剤（ＥＯ（２５．５）、ＰＯ（２９）、ＥＯ／ＰＯ＝４０／６０、重量平均分子量２８００）
比較例１１：ポリオキシエチレンモノセチルエーテル（ＥＯ（２）、重量平均分子量３３０）
比較例１２：ポリオキシエチレンラウリルアミン（ＥＯ（１０）、重量平均分子量６２５）
比較例１３：ポリオキシエチレンポリオキシプロピレンモノステアリルエーテル（ＥＯ（７．２）、ＰＯ（７．２）、ＥＯ／ＰＯ＝５０／５０、重量平均分子量１０００）
比較例１４：ポリオキシエチレンポリオキシプロピレンモノ２−エチルヘキシルエーテル（ＥＯ（７．７）、ＰＯ（１４．３）、ＥＯ／ＰＯ＝３５／６５、重量平均分子量１３００）【００４８】
【表２】
0006713105.tif 000003
【００４９】
表２のとおり、実施例２−１〜２−３においては、比較例８〜１４と比較して、パルプ濃度と白色度がともに向上していた。
【要約】
「脱水性」及び「洗浄性」を向上可能なパルプ洗浄剤の提供。
一態様において、下記式（１）で表される非イオン性界面活性剤を含有する、パルプ洗浄剤に関する。
Ｒ１Ｏ−［（ＥＯ）ｎ・（ＰＯ）ｍ］Ｈ  ・・・（１）
式（１）において、Ｒ１は、炭素数１０〜１４のアルキル基又はアルキニル基であり、ＥＯ及びＰＯはそれぞれ、エチレンオキサイド基及びプロピレンオキサイド基であり、ｎ及びｍは平均付加モル数であり、ｎ及びｍはそれぞれ０ではない。